(57)【要約】      （修正有）【課題】デマンドレスポンスを実行するタイミングを決定する技術を提供する。【解決手段】処理装置１０は、Ｎ日（Ｎ≧２）からなる対象期間内の日毎に、１日を複数の時間帯に分割し、各時間帯における予測需要電力量［Ｗｈ］を算出する需要予測部１１と、対象期間内の日毎に、各時間帯における創出可能需要電力量［Ｗｈ］を算出する創出需要予測部１２と、対象期間内の日毎に、各時間帯における予測需要電力量と創出可能需要電力量との和を算出する算出部１３と、対象期間内の日毎に、和が最小となる時間帯を特定し、特定した時間帯の和を参照値として決定する参照値決定部１４と、対象期間内の参照値が小さい方からＭ番目（Ｎ≧Ｍ≧２）の日の参照値を目標値として決定する目標値決定部１５と、目標値に基づき電力需要を創出するタイミングを決定する需要創出内容決定部１６と、を有する。【選択図】図２
2020144431.tif 000002
【特許請求の範囲】
【請求項１】
Ｎ日（Ｎ≧２）からなる対象期間内の日毎に、１日を複数の時間帯に分割し、前記時間帯各々における予測需要電力量［Ｗｈ］を算出する需要予測手段と、
前記対象期間内の日毎に、前記時間帯各々における創出可能需要電力量［Ｗｈ］を算出する創出需要予測手段と、
前記対象期間内の日毎に、前記時間帯各々における前記予測需要電力量と前記創出可能需要電力量との和を算出する算出手段と、
前記対象期間内の日毎に、前記和が最小となる前記時間帯である第１の時間帯を特定し、前記第１の時間帯の前記和を参照値として決定する参照値決定手段と、
前記対象期間内の前記参照値が小さい方からＭ番目（Ｎ≧Ｍ≧２）の日の前記参照値を、目標値として決定する目標値決定手段と、
前記目標値に基づき、電力需要を創出するタイミングを決定する需要創出内容決定手段と、
を有する処理装置。
【請求項２】
請求項１に記載の処理装置において、
前記需要創出内容決定手段は、前記対象期間内の前記参照値が小さい方から１番目から（Ｍ−１）番目までに含まれる日を、電力需要を創出しない日として決定する処理装置。
【請求項３】
請求項１又は２に記載の処理装置において、
前記需要創出内容決定手段は、前記対象期間内の前記参照値が小さい方から１番目から（Ｍ−１）番目までに含まれない日のうち、前記予測需要電力量が前記目標値を下回る前記時間帯が存在しない日を、電力需要を創出しない日として決定する処理装置。
【請求項４】
請求項１から３のいずれか１項に記載の処理装置において、
前記需要創出内容決定手段は、前記対象期間内の前記参照値が小さい方から１番目から（Ｍ−１）番目までに含まれない日のうち、前記予測需要電力量が前記目標値を下回る前記時間帯が存在する日を、電力需要を創出する日として決定する処理装置。
【請求項５】
請求項４に記載の処理装置において、
前記需要創出内容決定手段は、電力需要を創出する日として決定した日における前記予測需要電力量が前記目標値を下回る前記時間帯を、電力需要を創出する時間帯として決定する処理装置。
【請求項６】
請求項５に記載の処理装置において、
前記需要創出内容決定手段は、（前記電力需要を創出する時間帯において創出する電力量［Ｗｈ］と当該時間帯における前記予測需要電力量との和）と、（前記目標値）との差が基準値以下となるように、前記電力需要を創出する時間帯において創出する電力量を決定する処理装置。
【請求項７】
請求項１に記載の処理装置において、
前記対象期間内の日毎に算出した前記予測需要電力量及び前記創出可能需要電力量に基づき電力需要を創出するタイミングを決定した基準日よりも後に、Ｐ日（Ｎ＞Ｐ≧１）からなる直前対象期間内の日毎に、前記時間帯各々における前記予測需要電力量を算出する直前需要予測手段をさらに有し、
前記需要創出内容決定手段は、前記直前需要予測手段が算出した前記予測需要電力量に基づき、電力需要を創出するタイミングを決定する処理装置。
【請求項８】
請求項７に記載の処理装置において、
前記需要創出内容決定手段は、前記直前対象期間内の日のうち、前記直前需要予測手段が算出した前記予測需要電力量が前記目標値を下回る前記時間帯が存在しない日を、電力需要を創出しない日として決定する処理装置。
【請求項９】
請求項７又は８に記載の処理装置において、
前記基準日よりも後に、前記直前対象期間内の日毎に、前記時間帯各々における前記創出可能需要電力量を算出する直前創出需要予測手段と、
前記直前対象期間内の日毎に、前記直前需要予測手段が算出した前記時間帯各々における前記予測需要電力量と前記直前創出需要予測手段が算出した前記時間帯各々における前記創出可能需要電力量との和である直前和を算出する直前算出手段と、
をさらに有し、
前記需要創出内容決定手段は、前記直前対象期間内の日の中の、前記直前需要予測手段が算出した前記予測需要電力量が前記目標値を下回る前記時間帯が存在する日のうち、前記直前和が前記目標値を下回る前記時間帯が存在しない日を、電力需要を創出する日として決定する処理装置。
【請求項１０】
請求項９に記載の処理装置において、
前記需要創出内容決定手段は、電力需要を創出する日として決定した日における前記直前需要予測手段が算出した前記予測需要電力量が前記目標値を下回る前記時間帯を、電力需要を創出する時間帯として決定する処理装置。
【請求項１１】
請求項１０に記載の処理装置において、
前記需要創出内容決定手段は、（前記電力需要を創出する時間帯において創出する電力量［Ｗｈ］と当該時間帯における前記直前需要予測手段が算出した前記予測需要電力量との和）と、（前記目標値）との差が基準値以下となるように、前記電力需要を創出する時間帯において創出する電力量を決定する処理装置。
【請求項１２】
請求項９から１１のいずれか１項に記載の処理装置において、
前記需要創出内容決定手段は、前記直前対象期間内の日の中の、前記直前需要予測手段が算出した前記予測需要電力量が前記目標値を下回る前記時間帯が存在する日であって、前記直前和が前記目標値を下回る前記時間帯が存在する日においては、前記対象期間内の前記直前対象期間よりも前の期間における電力需要創出の実績に基づき、電力需要を創出する日とするか否かを決定する処理装置。
【請求項１３】
コンピュータが、
Ｎ日（Ｎ≧２）からなる対象期間内の日毎に、１日を複数の時間帯に分割し、前記時間帯各々における予測需要電力量［Ｗｈ］を算出する需要予測工程と、
前記対象期間内の日毎に、前記時間帯各々における創出可能需要電力量［Ｗｈ］を算出する創出需要予測工程と、
前記対象期間内の日毎に、前記時間帯各々における前記予測需要電力量と前記創出可能需要電力量との和を算出する算出工程と、
前記対象期間内の日毎に、前記和が最小となる前記時間帯である第１の時間帯を特定し、前記第１の時間帯の前記和を参照値として決定する参照値決定工程と、
前記対象期間内の前記参照値が小さい方からＭ番目（Ｎ≧Ｍ≧２）の日の前記参照値を、目標値として決定する目標値決定工程と、
前記目標値に基づき、電力需要を創出するタイミングを決定する需要創出内容決定工程と、
を実行する処理方法。
【請求項１４】
コンピュータを、
Ｎ日（Ｎ≧２）からなる対象期間内の日毎に、１日を複数の時間帯に分割し、前記時間帯各々における予測需要電力量［Ｗｈ］を算出する需要予測手段、
前記対象期間内の日毎に、前記時間帯各々における創出可能需要電力量［Ｗｈ］を算出する創出需要予測手段、
前記対象期間内の日毎に、前記時間帯各々における前記予測需要電力量と前記創出可能需要電力量との和を算出する算出手段、
前記対象期間内の日毎に、前記和が最小となる前記時間帯である第１の時間帯を特定し、前記第１の時間帯の前記和を参照値として決定する参照値決定手段、
前記対象期間内の前記参照値が小さい方からＭ番目（Ｎ≧Ｍ≧２）の日の前記参照値を、目標値として決定する目標値決定手段、
前記目標値に基づき、電力需要を創出するタイミングを決定する需要創出内容決定手段、
として機能させるプログラム。
【請求項１５】
目標値を設定する目標値設定手段と、
Ｐ日（Ｐ≧１）からなる直前対象期間内の日毎に、１日を複数の時間帯に分割し、前記時間帯各々における予測需要電力量［Ｗｈ］を算出する直前需要予測手段と、
前記予測需要電力量と、前記目標値とに基づき、電力需要を創出するタイミングを決定する需要創出内容決定手段と、
を有し、
前記需要創出内容決定手段は、前記直前需要予測手段が算出した前記予測需要電力量に基づき、電力需要を創出するタイミングを決定する処理装置。
【請求項１６】
コンピュータが、
目標値を設定する目標値設定工程と、
Ｐ日（Ｐ≧１）からなる直前対象期間内の日毎に、１日を複数の時間帯に分割し、前記時間帯各々における予測需要電力量［Ｗｈ］を算出する直前需要予測工程と、
前記予測需要電力量と、前記目標値とに基づき、電力需要を創出するタイミングを決定する需要創出内容決定工程と、
を実行し、
前記需要創出内容決定工程では、前記直前需要予測工程で算出した前記予測需要電力量に基づき、電力需要を創出するタイミングを決定する処理方法。
【請求項１７】
コンピュータを、
目標値を設定する目標値設定手段、
Ｐ日（Ｐ≧１）からなる直前対象期間内の日毎に、１日を複数の時間帯に分割し、前記時間帯各々における予測需要電力量［Ｗｈ］を算出する直前需要予測手段、
前記予測需要電力量と、前記目標値とに基づき、電力需要を創出するタイミングを決定する需要創出内容決定手段、
として機能させ、
前記需要創出内容決定手段は、前記直前需要予測手段が算出した前記予測需要電力量に基づき、電力需要を創出するタイミングを決定するプログラム。
【発明の詳細な説明】
【技術分野】
【０００１】
本発明は、処理装置、処理方法及びプログラムに関する。
【背景技術】
【０００２】
電力需要家が電力供給者の要求に応じて電力需要量を増減させるデマンドレスポンスに関する技術が、特許文献１乃至３に開示されている。
【０００３】
特許文献１及び２は、所定期間における電力需要を予測する手段、デマンドレスポンス実施可能量を予測する手段、予測結果に基づきデマンドレスポンスを実行する日を決定する手段を有する装置を開示している。
【０００４】
特許文献３は、需要家設備毎の見込み抑制量と実際の抑制量との乖離が発生するリスクを考慮して、見込み抑制量を予測する装置を開示している。
【先行技術文献】
【特許文献】
【０００５】
【特許文献１】国際公開第２０１４／１４１８４１
【特許文献２】国際公開第２０１４／２０７８５１
【特許文献３】特開２０１７−２２７９９９号公報
【発明の概要】
【発明が解決しようとする課題】
【０００６】
単位時間（例：３０分）における電力需要量を目標値以上に保つよう制御することで、電力供給者は様々な利益を得ることができる。例えば、電力の生産計画や原料の購入計画等が立てやすくなる。また、電力販売実績をあるレベル以上（単位時間における電力販売量が上記目標値以上）で安定させることができるので、電力販売実績に基づく各種交渉事（例：金融機関との交渉、ベースロード電源市場における買い入札の上限量の決定等）を有利に進めることができる。
【０００７】
例えば、デマンドレスポンスを利用して上記制御を実現する手段が考えられる。当該手段の場合、上記制御で得られるメリットと、デマンドレスポンスに要するコスト（例：協力した電力需要家に支払う対価等）と、のバランスを考慮する必要がある。特許文献１乃至３は、当該課題及び解決手段を記載していない。
【０００８】
本発明は、デマンドレスポンスを利用して単位時間における電力需要量を目標値以上に保つように制御する技術において、デマンドレスポンスを実行するタイミングを決定するための新たな技術を提供することを課題とする。
【課題を解決するための手段】
【０００９】
本発明によれば、
Ｎ日（Ｎ≧２）からなる対象期間内の日毎に、１日を複数の時間帯に分割し、前記時間帯各々における予測需要電力量［Ｗｈ］を算出する需要予測手段と、
前記対象期間内の日毎に、前記時間帯各々における創出可能需要電力量［Ｗｈ］を算出する創出需要予測手段と、
前記対象期間内の日毎に、前記時間帯各々における前記予測需要電力量と前記創出可能需要電力量との和を算出する算出手段と、
前記対象期間内の日毎に、前記和が最小となる前記時間帯である第１の時間帯を特定し、前記第１の時間帯の前記和を参照値として決定する参照値決定手段と、
前記対象期間内の前記参照値が小さい方からＭ番目（Ｎ≧Ｍ≧２）の日の前記参照値を、目標値として決定する目標値決定手段と、
前記目標値に基づき、電力需要を創出するタイミングを決定する需要創出内容決定手段と、
を有する処理装置が提供される。
【００１０】
また、本発明によれば、
コンピュータが、
Ｎ日（Ｎ≧２）からなる対象期間内の日毎に、１日を複数の時間帯に分割し、前記時間帯各々における予測需要電力量［Ｗｈ］を算出する需要予測工程と、
前記対象期間内の日毎に、前記時間帯各々における創出可能需要電力量［Ｗｈ］を算出する創出需要予測工程と、
前記対象期間内の日毎に、前記時間帯各々における前記予測需要電力量と前記創出可能需要電力量との和を算出する算出工程と、
前記対象期間内の日毎に、前記和が最小となる前記時間帯である第１の時間帯を特定し、前記第１の時間帯の前記和を参照値として決定する参照値決定工程と、
前記対象期間内の前記参照値が小さい方からＭ番目（Ｎ≧Ｍ≧２）の日の前記参照値を、目標値として決定する目標値決定工程と、
前記目標値に基づき、電力需要を創出するタイミングを決定する需要創出内容決定工程と、
を実行する処理方法が提供される。
【００１１】
また、本発明によれば、
コンピュータを、
Ｎ日（Ｎ≧２）からなる対象期間内の日毎に、１日を複数の時間帯に分割し、前記時間帯各々における予測需要電力量［Ｗｈ］を算出する需要予測手段、
前記対象期間内の日毎に、前記時間帯各々における創出可能需要電力量［Ｗｈ］を算出する創出需要予測手段、
前記対象期間内の日毎に、前記時間帯各々における前記予測需要電力量と前記創出可能需要電力量との和を算出する算出手段、
前記対象期間内の日毎に、前記和が最小となる前記時間帯である第１の時間帯を特定し、前記第１の時間帯の前記和を参照値として決定する参照値決定手段、
前記対象期間内の前記参照値が小さい方からＭ番目（Ｎ≧Ｍ≧２）の日の前記参照値を、目標値として決定する目標値決定手段、
前記目標値に基づき、電力需要を創出するタイミングを決定する需要創出内容決定手段、
として機能させるプログラムが提供される。
【００１２】
また、本発明によれば、
目標値を設定する目標値設定手段と、
Ｐ日（Ｐ≧１）からなる直前対象期間内の日毎に、１日を複数の時間帯に分割し、前記時間帯各々における予測需要電力量［Ｗｈ］を算出する直前需要予測手段と、
前記予測需要電力量と、前記目標値とに基づき、電力需要を創出するタイミングを決定する需要創出内容決定手段と、
を有し、
前記需要創出内容決定手段は、前記直前需要予測手段が算出した前記予測需要電力量に基づき、電力需要を創出するタイミングを決定する処理装置が提供される。
【００１３】
また、本発明によれば、
コンピュータが、
目標値を設定する目標値設定工程と、
Ｐ日（Ｐ≧１）からなる直前対象期間内の日毎に、１日を複数の時間帯に分割し、前記時間帯各々における予測需要電力量［Ｗｈ］を算出する直前需要予測工程と、
前記予測需要電力量と、前記目標値とに基づき、電力需要を創出するタイミングを決定する需要創出内容決定工程と、
を実行し、
前記需要創出内容決定工程では、前記直前需要予測工程で算出した前記予測需要電力量に基づき、電力需要を創出するタイミングを決定する処理方法が提供される。
【００１４】
また、本発明によれば、
コンピュータを、
目標値を設定する目標値設定手段、
Ｐ日（Ｐ≧１）からなる直前対象期間内の日毎に、１日を複数の時間帯に分割し、前記時間帯各々における予測需要電力量［Ｗｈ］を算出する直前需要予測手段、
前記予測需要電力量と、前記目標値とに基づき、電力需要を創出するタイミングを決定する需要創出内容決定手段、
として機能させ、
前記需要創出内容決定手段は、前記直前需要予測手段が算出した前記予測需要電力量に基づき、電力需要を創出するタイミングを決定するプログラムが提供される。
【発明の効果】
【００１５】
本発明によれば、デマンドレスポンスを利用して単位時間における電力需要量を目標値以上に保つように制御する技術において、デマンドレスポンスを実行するタイミングを決定するための新たな技術が実現される。
【図面の簡単な説明】
【００１６】
【図１】本実施形態の処理装置のハードウエア構成の一例を示す図である。
【図２】本実施形態の処理装置の機能ブロック図の一例である。
【図３】本実施形態の処理装置の処理の流れの一例を示すフローチャートである。
【図４】本実施形態の処理装置の処理内容を説明するための図である。
【図５】本実施形態の処理装置の処理内容を説明するための図である。
【図６】本実施形態の処理装置の処理内容を説明するための図である。
【図７】本実施形態の処理装置の処理内容を説明するための図である。
【図８】本実施形態の処理装置の処理内容を説明するための図である。
【図９】本実施形態の処理装置の処理の流れの一例を示すフローチャートである。
【図１０】本実施形態の処理装置の処理内容を説明するための図である。
【図１１】本実施形態の処理装置の処理内容を説明するための図である。
【図１２】本実施形態の処理装置の処理の流れの一例を示すフローチャートである。
【図１３】本実施形態の処理装置の機能ブロック図の一例である。
【図１４】本実施形態の処理装置の処理の流れの一例を示すフローチャートである。
【図１５】本実施形態の処理装置の処理の流れの一例を示すフローチャートである。
【図１６】本実施形態の処理装置の処理内容を説明するための図である。
【図１７】本実施形態の処理装置の処理の流れの一例を示すフローチャートである。
【図１８】本実施形態の処理装置の機能ブロック図の一例である。
【発明を実施するための形態】
【００１７】
＜第１の実施形態＞
本実施形態の処理装置の構成を詳細に説明する。また、処理装置のハードウエア構成の一例について説明する。処理装置が備える各機能は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１８】
図１は、処理装置のハードウエア構成を例示するブロック図である。図１に示すように、処理装置は、プロセッサ１Ａ、メモリ２Ａ、入出力インターフェイス３Ａ、周辺回路４Ａ、バス５Ａを有する。周辺回路４Ａには、様々なモジュールが含まれる。処理装置は周辺回路４Ａを有さなくてもよい。なお、処理装置は物理的及び／又は論理的に分かれた複数の装置で構成されてもよい。この場合、複数の装置各々が上記ハードウエア構成を備えることができる。
【００１９】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ、ＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置、外部装置、外部サーバ、外部センサ、カメラ等から情報を取得するためのインターフェイスや、出力装置、外部装置、外部サーバ等に情報を出力するためのインターフェイスなどを含む。入力装置は、例えばキーボード、マウス、マイク、タッチパネル、物理ボタン、カメラ等である。出力装置は、例えばディスプレイ、スピーカ、プリンター、メーラ等である。プロセッサ１Ａは、各モジュールに指令を出し、それらの演算結果をもとに演算を行うことができる。
【００２０】
次に、図２及び図３を用いて、処理装置１０の機能構成を説明する。図２は、処理装置１０の機能ブロック図の一例を示す。図示するように、処理装置１０は、需要予測部１１と、創出需要予測部１２と、算出部１３と、参照値決定部１４と、目標値決定部１５と、需要創出内容決定部１６とを有する。図３は、処理装置１０の処理の流れの一例を示すフローチャートである。以下、図２及び図３を用いて、複数の機能部各々の機能構成及び処理の流れの一例を説明する。
【００２１】
図３のフローチャートで示される処理は、Ｎ日（Ｎ≧２）からなる対象期間よりも前の任意のタイミングで実行される。本実施形態では、対象期間の長さは１年（Ｎは、３６５又は３６６）であり、対象期間の開始日は、１年の開始日（１月１日）又は年度の開始日（４月１日、１０月１日等）とする。なお、対象期間の長さは上記例示に限定されず、１年より短くてもよいし、１年より長くてもよい。また、対象期間の開始日は上記例示に限定されない。
【００２２】
まず、Ｓ１０では、需要予測部１１は、１日を複数の時間帯に分割し、各時間帯における予測需要電力量［Ｗｈ］を算出する処理を、Ｎ日（Ｎ≧２）からなる対象期間内の日毎に行う。
【００２３】
本実施形態では、各時間帯の長さは３０分とし、「０時００分〜０時３０分」、「０時３０分〜１時００分」のように１日を複数の時間帯に分割するものとするが、これに限定されない。
【００２４】
需要予測部１１は、複数の電力需要家を含む電力需要家群における、各時間帯の予測需要電力量を算出する。予測需要電力量を算出する技術は、広く知られている。需要予測部１１は、あらゆる技術を利用して、当該算出を実現することができる。例えば、需要予測部１１は、機械学習の技術を利用してもよい。この場合、需要予測部１１は、上記電力需要家又は電力需要家群における過去の各時間帯における需要電力量の実績と、電力需要に影響を与える因子（曜日、イベント、天候情報、電力需要家群に含まれる電力需要家の属性情報（電力需要家群に含まれる電力需要家の数、電力需要家群内での家族構成の内訳等）等）の実績とをペアにした教師データに基づく機械学習で生成された推定モデルと、対象期間内の各日における上記因子の予測値とに基づき、対象期間内の各日における各時間帯の予測需要電力量を算出する。
【００２５】
図４に、需要予測部１１が算出した内容の一例を模式的に示す。対象期間の中の任意の１日である２０１９年１月１８日の予測結果が示されている。横軸が時刻であり、縦軸が予測需要電力量である。３０分毎の予測需要電力量が示されている。
【００２６】
図２及び図３に戻り、Ｓ１１では、創出需要予測部１２は、対象期間内の日毎に、各時間帯における創出可能需要電力量［Ｗｈ］を算出する。創出可能需要電力量は、デマンドレスポンスを利用して創出できる需要電力量の予測値である。当該デマンドレスポンスでは、電力供給者は電力需要家に対し電力需要の増加を依頼する。依頼に応える電力需要家は、蓄電池に充電する等の手段を用いて、電力需要を増やす。
【００２７】
創出需要予測部１２は、複数の電力需要家を含む電力需要家群における、各時間帯の創出可能需要電力量を算出する。創出可能需要電力量を算出する技術は、広く知られている。創出需要予測部１２は、あらゆる技術を利用して、当該算出を実現することができる。例えば、創出需要予測部１２は、機械学習の技術を利用してもよい。この場合、創出需要予測部１２は、上記電力需要家又は電力需要家群における過去の各時間帯における創出可能需要電力量の実績と、創出可能需要電力量に影響を与える因子（曜日、イベント、天候情報、電力需要家群に含まれる電力需要家の属性情報（電力需要家群に含まれる電力需要家の数、電力需要家群内での家族構成の内訳等）等）の実績とをペアにした教師データに基づく機械学習で生成された推定モデルと、対象期間内の各日における上記因子の予測値とに基づき、対象期間内の各日における各時間帯の創出可能需要電力量の予測値を算出する。
【００２８】
図５に、創出需要予測部１２が算出した内容の一例を模式的に示す。対象期間の中の任意の１日である２０１９年１月１８日の予測結果が示されている。横軸が時刻であり、縦軸が創出可能需要電力量である。３０分毎の創出可能需要電力量が示されている。
【００２９】
なお、図３のＳ１０及びＳ１１の処理順は図示するものに限定されない。Ｓ１０をＳ１１よりも前に実行してもよいし、Ｓ１１をＳ１０よりも前に実行してもよいし、Ｓ１０とＳ１１とを並行処理してもよい。
【００３０】
図２及び図３に戻り、Ｓ１２では、算出部１３が、対象期間内の日毎に、各時間帯における予測需要電力量と創出可能需要電力量との和（以下、「上記和」という場合がある）を算出する。図６に、算出部１３が算出した内容の一例を模式的に示す。対象期間の中の任意の１日である２０１９年１月１８日の算出結果が示されている。横軸が時刻であり、縦軸が予測需要電力量と創出可能需要電力量との和である。３０分毎の上記和が示されている。
【００３１】
図２及び図３に戻り、Ｓ１３では、参照値決定部１４は、対象期間内の日毎に、上記和（予測需要電力量と創出可能需要電力量との和）が最小となる時間帯である第１の時間帯を特定し、第１の時間帯の上記和を参照値として決定する。図７に、参照値決定部１４が算出した内容の一例を模式的に示す。図示するように、対象期間内の複数の日各々に対応して、１つの参照値が決定される。
【００３２】
図２及び図３に戻り、Ｓ１４では、目標値決定部１５は、対象期間内の参照値が小さい方からＭ番目（Ｎ≧Ｍ≧２）の日の参照値を、目標値として決定する。図８を用いて、当該処理の内容を説明する。横軸が対象期間内の日付であり、縦軸が参照値である。対象期間内の複数の日が参照値の小さい順に並んでいる。そして、対象期間内の参照値が小さい方からＭ番目の日（図示する例の場合、２０１９年３月１０日）の参照値が目標値として決定されている。Ｍの値は任意に定めることができるが、以下で具体例を説明する。
【００３３】
図２及び図３に戻り、Ｓ１５では、需要創出内容決定部１６は、目標値決定部１５が決定した目標値に基づき、電力需要を創出するタイミングを決定する。具体的には、需要創出内容決定部１６は、電力需要の増加を依頼するデマンドレスポンスを実行する日や時間帯を決定する。
【００３４】
まず、図９のフローチャートを用いて、電力需要の増加を依頼するデマンドレスポンスを実行する日を決定する処理の流れの一例を説明する。
【００３５】
Ｓ２０では、需要創出内容決定部１６は、対象期間内の１つの日を指定する。Ｓ２１では、需要創出内容決定部１６は、対象期間内の参照値が小さい方から１番目から（Ｍ−１）番目までの中に、指定した日が含まれるか判断する。需要創出内容決定部１６は、様々な方法で当該判断を行うことができる。例えば、需要創出内容決定部１６は、指定した日の参照値がＳ１４で決定された目標値よりも小さい場合に含まれると判断し、指定した日の参照値がＳ１４で決定された目標値以上である場合に含まれないと判断してもよい。その他、需要創出内容決定部１６は、対象期間内の複数の日を参照値の小さい順又は大きい順に並べ（図８参照）、この並び順に基づき、参照値が小さい方から１番目から（Ｍ−１）番目までの中に指定した日が含まれるか判断してもよい。
【００３６】
参照値が小さい方から１番目から（Ｍ−１）番目までの中に指定した日が含まれる場合（Ｓ２１のＹｅｓ）、需要創出内容決定部１６は、指定した日は電力需要を創出しない日として決定する（Ｓ２４）。電力需要を創出しない日は、デマンドレスポンスを実行しない日と同義であり、電力需要を創出する日は、デマンドレスポンスを実行する日と同義である（以下同様）。
【００３７】
このように、需要創出内容決定部１６は、参照値が小さい方から１番目から（Ｍ−１）番目までに含まれる日、具体的には予測需要電力量と創出可能需要電力量とを足し合わせても目標値に到達しない時間帯を含む日を、電力需要を創出しない日として決定する。
【００３８】
ところで、統計処理においては、外れ値を除去するため、上位数パーセントのデータと下位数パーセントのデータとを除去する場合がある。上記Ｍの値を「下位数パーセントのデータ数」に１を加えた値にすることで、統計処理の結果に影響しない日（すなわち、外れ値として除去される日）を、電力需要を創出する日から除外することができる。当該制御により、電力供給者は、不要にデマンドレスポンスを実行し、そのコスト（協力した電力需要家に対して支払われる対価等）が大きくなる不都合を抑制できる。
【００３９】
一方、参照値が小さい方から１番目から（Ｍ−１）番目までの中に指定した日が含まれない場合（Ｓ２１のＮｏ）、需要創出内容決定部１６は、指定した日において、予測需要電力量が目標値を下回る時間帯が存在するか判定する（Ｓ２２）。当該判定は、各日の参照値と目標値との大小比較で実現されてもよい。この場合、参照値が目標値以上である日は、予測需要電力量が目標値を下回る時間帯が存在しないと判定される。一方、参照値が目標値を下回る日は、予測需要電力量が目標値を下回る時間帯が存在すると判定される。その他、当該判定は、指定した日の各時間帯の予測需要電力量と目標値の大小比較により実現されてもよい。なお、その他の方法で上記判定が実現されてもよい。
【００４０】
指定した日において、予測需要電力量が目標値を下回る時間帯が存在しない場合（Ｓ２２のＮｏ）、需要創出内容決定部１６は、指定した日は電力需要を創出しない日として決定する（Ｓ２４）。
【００４１】
このように、需要創出内容決定部１６は、参照値が小さい方から１番目から（Ｍ−１）番目までに含まれない日のうち、予測需要電力量が目標値を下回る時間帯が存在しない日、すなわちデマンドレスポンスを実行しなくても、すべての時間帯において電力需要（予測需要電力量）が目標値を上回る日を、電力需要を創出しない日として決定する。このような日にデマンドレスポンスを実行しなくても、電力販売実績をあるレベル以上（各時間帯における販売電力量が目標値以上）で安定させることができる。当該制御により、電力供給者は、不要にデマンドレスポンスを実行し、そのコスト（協力した電力需要家に対して支払われる対価等）が大きくなる不都合を抑制できる。
【００４２】
図１０に、すべての時間帯において電力需要（予測需要電力量）が目標値を上回る日（デマンドレスポンスが実行されない日）の予測需要電力量の一例を示す。横軸が時刻であり、縦軸が予測需要電力量である。３０分毎の予測需要電力量が示されている。いずれの時間帯も、予測需要電力量が目標値を上回っており、電力販売実績はあるレベル以上（各時間帯における販売電力量が目標値以上）で安定する。
【００４３】
図９に戻り、指定した日において、予測需要電力量が目標値を下回る時間帯が存在する場合（Ｓ２２のＹｅｓ）、需要創出内容決定部１６は、指定した日は電力需要を創出する日として決定する（Ｓ２３）。このように、需要創出内容決定部１６は、参照値が小さい方から１番目から（Ｍ−１）番目までに含まれない日のうち、予測需要電力量が目標値を下回る時間帯が存在する日を、電力需要を創出する日として決定する。
【００４４】
予測需要電力量が目標値を下回る時間帯が存在するため、デマンドレスポンスを実行しなければ、電力販売実績をあるレベル以上（各時間帯における販売電力量が目標値以上）で安定させることができない。そして、参照値が小さい方から１番目から（Ｍ−１）番目までに含まれない日は、参照値が目標値以上であるので、デマンドレスポンスを実行すれば、各時間帯の電力需要を目標値以上にすることが期待できる。そこで、需要創出内容決定部１６は、このような日にデマンドレスポンスを実行するように制御する。結果、電力販売実績をあるレベル以上（各時間帯における販売電力量が目標値以上）で安定させることができる。
【００４５】
図１１に、電力需要（予測需要電力量）が目標値を下回る時間帯が存在する日（デマンドレスポンスが実行される日）の予測需要電力量の一例を示す。横軸が時刻であり、縦軸が予測需要電力量である。３０分毎の予測需要電力量が示されている。一部の時間帯において、予測需要電力量が目標値を下回っている。
【００４６】
図９に戻り、需要創出内容決定部１６は、Ｓ２５において、対象期間の中に指定していない日があるか判断する。ある場合（Ｓ２５のＹｅｓ）、需要創出内容決定部１６はＳ２０に戻り処理を繰り返す。一方、ない場合（Ｓ２５のＮｏ）、需要創出内容決定部１６は処理を終了する。
【００４７】
次に、図１２のフローチャートを用いて、電力需要の増加を依頼するデマンドレスポンスを実行する時間帯を決定する処理の流れの一例を説明する。
【００４８】
需要創出内容決定部１６は、デマンドレスポンスを実行すると決定した日（電力需要を創出すると決定した日）において、予測需要電力量が目標値を下回る時間帯を特定する（Ｓ３０）。そして、需要創出内容決定部１６は、Ｓ３０で特定した時間帯を、デマンドレスポンスを実行する時間帯（電力需要を創出する時間帯）として決定する。
【００４９】
需要創出内容決定部１６は、「電力需要を創出する時間帯において創出する電力量［Ｗｈ］と当該時間帯における予測需要電力量との和」と、「目標値」との差が基準値以下となるように、電力需要を創出する時間帯において創出する電力量を決定する。なお、「電力需要を創出する時間帯において創出する電力量［Ｗｈ］と当該時間帯における予測需要電力量との和」が「目標値」以上となるように、電力需要を創出する時間帯において創出する電力量を決定してもよい。当該制御により、電力供給者は、不要に多くの電力需要を創出し、そのコスト（協力した電力需要家に対して支払われる対価等）が大きくなる不都合を抑制できる。
【００５０】
次に、本実施形態の処理装置１０の作用効果を説明する。
【００５１】
本実施形態の処理装置１０によれば、デマンドレスポンスを利用して単位時間における電力需要量を目標値以上に保つように制御する技術において、デマンドレスポンスを実行するタイミングを決定するための新たな技術が実現される。本実施形態の処理装置１０によれば、電力供給者は、不要なタイミングでのデマンドレスポンスの実行を抑制することでコストを抑制しつつ、電力販売実績をあるレベル以上（各時間帯における販売電力量が目標値以上）で安定させることができる。
【００５２】
なお、本実施形態の処理装置１０は、ベースロード電源市場において電力を購入する電力供給者により使用されることで、次のような効果が得られる。
【００５３】
まず、ベースロード電源市場において各電力供給者が購入できる電力量の上限は、各電力供給者の前年度の電力販売実績に基づき決定される。具体的には、日別のベース需要（各日の３０分値の中の最小値）のうち、年間１８日程度の下位の需要を除いたもの、すなわち下から１９番目の日のベース需要に基づき、各電力供給者が購入できる電力量の上限が決定される。ベースロード電源市場で購入できる電力量を増やすためには、下から１９番目の日のベース需要を増加させる必要がある。デマンドレスポンスを利用して電力需要を増加させることができるが、やみくもにデマンドレスポンスを実行すると、そのコスト（協力した電力需要家に対して支払われる対価等）が大きくなってしまう。
【００５４】
本実施形態の処理装置１０において、上記Ｍの値を例えば１９に設定することで、不要なデマンドレスポンスを抑制しつつ、下から１９番目の日のベース需要を増加させることができる。結果、電力供給者は、不要なタイミングでのデマンドレスポンスの実行を抑制することでコストを抑制しつつ、電力販売実績をあるレベル以上（各時間帯における販売電力量が目標値以上）で安定させ、ベースロード電源市場において購入できる電力量を増やすことができる。
【００５５】
＜第２の実施形態＞
本実施形態の処理装置１０は、第１の実施形態で説明した方法で対象期間よりも前に電力需要を創出するタイミングを決定（仮決定）した後、それよりも後の任意のタイミング（好ましくは、より対象日に近いタイミング）で、対象日に電力需要を創出するか否かを決定（最終決定）する機能を有する点で、第１の実施形態と異なる。以下、詳細を説明する。
【００５６】
処理装置１０のハードウエア構成の一例は、第１の実施形態と同様である。
【００５７】
次に、図１３及び図１４を用いて、処理装置１０の機能構成を説明する。図１３は、処理装置１０の機能ブロック図の一例を示す。図示するように、処理装置１０は、需要予測部１１と、創出需要予測部１２と、算出部１３と、参照値決定部１４と、目標値決定部１５と、需要創出内容決定部１６と、直前需要予測部１７と、直前創出需要予測部１８と、直前算出部１９とを有する。需要予測部１１、創出需要予測部１２、算出部１３、参照値決定部１４及び目標値決定部１５の構成は、第１の実施形態と同様である。図１４は、処理装置１０の処理の流れの一例を示すフローチャートである。以下、図１３及び図１４を用いて、複数の機能部各々の機能構成及び処理の流れの一例を説明する。
【００５８】
図１４のフローチャートで示される処理は、Ｎ日（Ｎ≧２）からなる対象期間内の日毎に算出した予測需要電力量及び創出可能需要電力量に基づき電力需要を創出するタイミングを決定した基準日（第１の実施形態で説明した方法で対象期間全体の電力需要を創出するタイミングを決定した日）よりも後、かつ、対象期間に含まれるＰ日（Ｎ＞Ｐ≧１）からなる直前対象期間よりも前の任意のタイミングで実行される。なお、直前需要予測部１７及び直前創出需要予測部１８による予測の精度を高めるため、直前対象期間に近いタイミングで、図１４のフローチャートで示される処理が実行されるのが好ましい。直前対象期間の長さＰは、直前需要予測部１７及び直前創出需要予測部１８による予測の精度を高めるため比較的小さい値とするのが好ましく、例えば、１、７、１０、３０等が例示されるが、これらに限定されない。
【００５９】
Ｓ４０では、直前需要予測部１７は、１日を複数の時間帯に分割し、各時間帯における予測需要電力量［Ｗｈ］を算出する処理を、Ｐ日（Ｎ＞Ｐ≧１）からなる直前対象期間内の日毎に実行する。
【００６０】
本実施形態では、各時間帯の長さは３０分とし、「０時００分〜０時３０分」、「０時３０分〜１時００分」のように、１日を複数の時間帯に分割するものとするが、これに限定されない。
【００６１】
直前需要予測部１７は、複数の電力需要家を含む電力需要家群における、各時間帯の予測需要電力量を算出する。予測需要電力量を算出する技術は、広く知られている。直前需要予測部１７は、あらゆる技術を利用して、当該算出を実現することができる。例えば、直前需要予測部１７は、機械学習の技術を利用してもよい。この場合、直前需要予測部１７は、上記電力需要家又は電力需要家群における過去の各時間帯における需要電力量の実績と、電力需要に影響を与える因子（曜日、イベント、天候情報、電力需要家群に含まれる電力需要家の属性情報（電力需要家群に含まれる電力需要家の数、電力需要家群内での家族構成の内訳等）等）の実績とをペアにした教師データに基づく機械学習で生成された推定モデルと、直前対象期間内の各日における上記因子の予測値とに基づき、直前対象期間内の各日における各時間帯の予測需要電力量を算出する。
【００６２】
直前需要予測部１７は、直前対象期間に近いタイミングで上記処理を行うので、上記因子の予測値としてより精度の高い値を用いることができる。また、需要予測部１１が予測需要電力量を算出するタイミングでは予測することができない因子をも利用して、上記推定を行うことができる。このため、直前需要予測部１７は、需要予測部１１よりも精度の高い予測需要電力量を算出することができる。
【００６３】
直前需要予測部１７が算出した内容の一例は、需要予測部１１が算出した内容の一例と同様、図４で示される。
【００６４】
なお、「直前需要予測部１７が予測した予測需要電力量」を「需要予測部１１が予測した予測需要電力量」と識別するため、直前需要予測部１７が予測した予測需要電力量を「予測需要電力量（直前）」と呼ぶ。
【００６５】
図１３及び図１４に戻り、Ｓ４１では、直前創出需要予測部１８は、直前対象期間内の日毎に、各時間帯における創出可能需要電力量［Ｗｈ］を算出する。
【００６６】
直前創出需要予測部１８は、複数の電力需要家を含む電力需要家群における、各時間帯の創出可能需要電力量を算出する。創出可能需要電力量を算出する技術は、広く知られている。直前創出需要予測部１８は、あらゆる技術を利用して、当該算出を実現することができる。例えば、直前創出需要予測部１８は、機械学習の技術を利用してもよい。この場合、直前創出需要予測部１８は、上記電力需要家又は電力需要家群における過去の各時間帯における創出可能需要電力量の実績と、創出可能需要電力量に影響を与える因子（曜日、イベント、天候情報、電力需要家群に含まれる電力需要家の属性情報（電力需要家群に含まれる電力需要家の数、電力需要家群内での家族構成の内訳等）等）の実績とをペアにした教師データに基づく機械学習で生成された推定モデルと、直前対象期間内の各日における上記因子の予測値とに基づき、直前対象期間内の各日における各時間帯の創出可能需要電力量の予測値を算出する。
【００６７】
直前創出需要予測部１８は、直前対象期間に近いタイミングで上記処理を行うので、上記因子の予測値としてより精度の高い値を用いることができる。また、創出需要予測部１２が創出可能需要電力量を算出するタイミングでは予測できない因子をも利用して、上記推定を行うことができる。このため、直前創出需要予測部１８は、創出需要予測部１２よりも精度の高い創出可能需要電力量を算出することができる。
【００６８】
その他の例として、電力供給者は、直前対象期間内の各日におけるデマンドレスポンスへの参加を、電力需要家に問い合わせてもよい。そして、電力供給者は、参加の有無、参加する時間帯、参加する時間帯において増やすことが可能な需要電力量等を示す回答を、電力需要家から取得してもよい。問合せ及び回答の送受信は、インターネット等のネットワークを介して実現されてもよいし、ＦＡＸ、電話、郵便等で実現されてもよい。直前創出需要予測部１８は、回答内容を示す電子データを任意の手段（ユーザ入力、ネットワークを介した送受信等）で取得する。そして、直前創出需要予測部１８は、当該回答内容に基づき、各時間帯における創出可能需要電力量を算出する。例えば、直前創出需要予測部１８は、回答内容で示される各電力需要家が各時間帯において増やすことが可能な需要電力量を足し合わせることで、各時間帯における創出可能需要電力量を算出してもよい。
【００６９】
直前創出需要予測部１８が算出した内容の一例は、創出需要予測部１２が算出した内容の一例と同様、図５で示される。
【００７０】
なお、「直前創出需要予測部１８が算出した創出可能需要電力量」を「創出需要予測部１２が算出した創出可能需要電力量」と識別するため、直前創出需要予測部１８が算出した創出可能需要電力量を「創出可能需要電力量（直前）」と呼ぶ。
【００７１】
図１３及び図１４に戻り、Ｓ４２では、直前算出部１９が、直前対象期間内の日毎に、各時間帯における予測需要電力量（直前）と創出可能需要電力量（直前）との和（以下、「直前和」という場合がある）を算出する。直前算出部１９が算出した内容の一例は、算出部１３が算出した内容の一例と同様、図６で示される。
【００７２】
図１３及び図１４に戻り、Ｓ４３では、需要創出内容決定部１６は、目標値、予測需要電力量（直前）、創出可能需要電力量（直前）及び直前和に基づき、直前対象期間の中で電力需要を創出するタイミングを決定する。具体的には、需要創出内容決定部１６は、電力需要の増加を依頼するデマンドレスポンスを実行する日や時間帯を決定する。目標値は、第１の実施形態で説明した方法で、対象期間よりも前に決定された目標値とすることができる。需要創出内容決定部１６のその他の構成は、第１の実施形態と同様である。
【００７３】
ここで、図１５のフローチャートを用いて、電力需要の増加を依頼するデマンドレスポンスを実行する日を決定する処理の流れの一例を説明する。
【００７４】
Ｓ５０では、需要創出内容決定部１６は、直前対象期間内の１つの日を指定する。Ｓ５１では、指定した日において、予測需要電力量（直前）が目標値を下回る時間帯が存在するか判定する（Ｓ５１）。当該判定は、指定した日の各時間帯の予測需要電力量（直前）と目標値の大小比較により実現されてもよい。なお、その他の方法で上記判定が実現されてもよい。
【００７５】
指定した日において、予測需要電力量（直前）が目標値を下回る時間帯が存在しない場合（Ｓ５１のＮｏ）、需要創出内容決定部１６は、指定した日は電力需要を創出しない日として決定する（Ｓ５４）。このように、需要創出内容決定部１６は、直前需要予測部１７が算出した予測需要電力量（直前）が目標値を下回る時間帯が存在しない日を、電力需要を創出しない日として決定する。このような日にデマンドレスポンスを実行しなくても、電力販売実績はあるレベル以上（各時間帯における販売電力量が目標値以上）で安定する。当該制御により、電力供給者は、不要にデマンドレスポンスを実行し、そのコスト（協力した電力需要家に対して支払われる対価等）が大きくなる不都合を抑制できる。
【００７６】
一方、指定した日において、予測需要電力量（直前）が目標値を下回る時間帯が存在する場合（Ｓ５１のＹｅｓ）、需要創出内容決定部１６は、直前和が目標値を下回る時間帯が存在するか判定する（Ｓ５２）。当該判定は、指定した日の各時間帯の直前和と目標値の大小比較により実現されてもよい。なお、その他の方法で上記判定が実現されてもよい。
【００７７】
直前和が目標値を下回る時間帯が存在しない場合（Ｓ５２のＮｏ）、需要創出内容決定部１６は、指定した日は電力需要を創出する日として決定する（Ｓ５３）。このように、需要創出内容決定部１６は、直前需要予測部１７が算出した予測需要電力量（直前）が目標値を下回る時間帯が存在する日のうち、直前算出部１９が算出した直前和が目標値を下回る時間帯が存在しない日を、電力需要を創出する日として決定する。
【００７８】
予測需要電力量（直前）が目標値を下回る時間帯が存在するため、デマンドレスポンスを実行しなければ、電力販売実績があるレベル以上（各時間帯における販売電力量が目標値以上）で安定しない。一方で、直前和が目標値を下回る時間帯が存在しない日は、デマンドレスポンスを実行すれば、各時間帯の電力需要が目標値以上になることが期待できる。そこで、需要創出内容決定部１６は、このような日にデマンドレスポンスを実行するように制御する。結果、電力販売実績をあるレベル以上（各時間帯における販売電力量が目標値以上）で安定させることができる。
【００７９】
なお、需要創出内容決定部１６は、電力需要を創出する日として決定した日における直前需要予測部１７が算出した予測需要電力量（直前）が目標値を下回る時間帯を、電力需要を創出する時間帯として決定することができる。そして、需要創出内容決定部１６は、「電力需要を創出する時間帯において創出する電力量と当該時間帯における予測需要電力量（直前）との和」と、「目標値」との差が基準値以下となるように、電力需要を創出する時間帯において創出する電力量を決定することができる。なお、「電力需要を創出する時間帯において創出する電力量と当該時間帯における予測需要電力量（直前）との和」が「目標値」以上となるように、電力需要を創出する時間帯において創出する電力量を決定してもよい。当該制御により、電力供給者は、不要に多くの電力需要を創出し、そのコスト（協力した電力需要家に対して支払われる対価等）が大きくなる不都合を抑制できる。
【００８０】
一方、直前和が目標値を下回る時間帯が存在する場合（Ｓ５２のＹｅｓ）、需要創出内容決定部１６は、対象期間内の直前対象期間よりも前の期間における電力需要創出の実績に基づき、電力需要を創出する日とするか否かを決定する（Ｓ５５）。すなわち、需要創出内容決定部１６は、予測需要電力量（直前）が目標値を下回る時間帯が存在する日であって、直前和が目標値を下回る時間帯が存在する日においては、対象期間内の直前対象期間よりも前の期間における電力需要創出の実績に基づき、電力需要を創出する日とするか否かを決定する。
【００８１】
ここで、Ｓ５５の処理の一例を説明する。なお、あくまで一例であり、これに限定されない。まず、図１６を用いて、当該処理に用いる変数を説明する。図１６に示す例の場合、対象期間は２０１９年４月１日から２０２０年３月１日までの１年間である。そして、直前対象期間は図示する「明日」の１日である。
【００８２】
ｘは、本日までの経過日数である。ｙは、本日までに経過した日の中の、図９のＳ２１でＹｅｓとなって電力需要を創出しない日として決定した日の数である。ｚは、本日までに経過した日の中の、図１５のＳ５５で電力需要を創出しない日として決定した日の数である。
【００８３】
（３６５−ｘ）は、対象期間の中のまだ経過していない残日数である。ｎは、（Ｍ−１）である（Ｍは第１の実施形態で説明した通り）。（ｎーｙ）は、対象期間の中のまだ経過していない日の中の、図９のＳ２１でＹｅｓとなって電力需要を創出しない日として決定した日の数である。（ｎ−ｚ）は、Ｓ５５において電力需要を創出しない日として決定できる残回数である。
【００８４】
例えば、需要創出内容決定部１６は、（ｚ／ｙ）の値に基づき、明日を、電力需要を創出する日とするか否かを決定してもよい。例えば、需要創出内容決定部１６は、（ｚ／ｙ）が閾値より大きい場合、明日を、電力需要を創出する日として決定し、（ｚ／ｙ）が閾値以下である場合、明日を、電力需要を創出しない日として決定することができる。
【００８５】
その他、需要創出内容決定部１６は、（（ｎ−ｚ）／（ｎ−ｙ））の値に基づき、明日を、電力需要を創出する日とするか否かを決定してもよい。例えば、需要創出内容決定部１６は、（（ｎ−ｚ）／（ｎ−ｙ））が閾値より小さい場合、明日を、電力需要を創出する日として決定し、（ｚ／ｙ）が閾値以上である場合、明日を、電力需要を創出しない日として決定することができる。
【００８６】
図１５に戻り、需要創出内容決定部１６は、Ｓ５６において、直前対象期間の中に指定していない日があるか判断する。ある場合（Ｓ５６のＹｅｓ）、需要創出内容決定部１６はＳ５０に戻り処理を繰り返す。一方、ない場合（Ｓ５６のＮｏ）、需要創出内容決定部１６は処理を終了する。
【００８７】
以上説明した本実施形態の処理装置１０によれば、第１の実施形態と同様な作用効果が実現される。
【００８８】
また、本実施形態の処理装置１０によれば、デマンドレスポンスを実行するか否かを決定する直前対象期間に比較的近いタイミングで、直前対象期間の予測需要電力量（直前）や創出可能需要電力量（直前）を算出し、算出結果に基づき、デマンドレスポンスを実行するタイミングを決定することができる。このため、高精度に、不要なデマンドレスポンスを抑制しつつ、電力販売実績をあるレベル以上（各時間帯における販売電力量が目標値以上）で安定させることができる。
【００８９】
また、本実施形態の処理装置１０によれば、対象期間の前に対象期間全体のデマンドレスポンスの予定を作成し、当該予定と、直前対象期間に比較的近いタイミングで決定した内容（実績）とのズレを考慮しながら、デマンドレスポンスを実行するタイミングを決定することができる（図１５のＳ５５）。このため、より高精度に、不要なデマンドレスポンスを抑制しつつ、電力販売実績をあるレベル以上（各時間帯における販売電力量が目標値以上）で安定させることができる。
【００９０】
＜第３の実施形態＞
本実施形態の処理装置１０は、対象期間内の所定のタイミングで、対象期間よりも前に決定した目標値を再設定する機能を有する点で、第１及び第２の実施形態と異なる。以下、詳細を説明する。
【００９１】
処理装置１０のハードウエア構成の一例は、第１及び第２の実施形態と同様である。
【００９２】
処理装置１０の機能ブロック図の一例は、図２又は図１３で示される。図示するように、処理装置１０は、需要予測部１１と、創出需要予測部１２と、算出部１３と、参照値決定部１４と、目標値決定部１５と、需要創出内容決定部１６とを有する。処理装置１０は、更に、直前需要予測部１７と、直前創出需要予測部１８と、直前算出部１９とを有することができる。直前需要予測部１７、直前創出需要予測部１８及び直前算出部１９の構成は、第２の実施形態と同様である。
【００９３】
図１７は、処理装置１０の処理の流れの一例を示すフローチャートである。以下、図２、図１３及び図１７を用いて、複数の機能部各々の機能構成及び処理の流れの一例を説明する。
【００９４】
処理装置１０は、目標値を再設定する再設定条件を満たすか否かの監視を継続する（Ｓ６０）。再設定条件は、「現在の目標値を設定した日及び対象期間の初日の内の遅い方の日からの経過日数が閾値を超えた」、「（ｚ／ｙ）が閾値を超えた」、「（ｚ／ｙ）が閾値を下回った」等が例示されるが、これらに限定されない。
【００９５】
再設定条件を満たす場合（Ｓ６０のＹｅｓ）、Ｓ６１において、需要予測部１１は、対象期間内の残期間（経過していない期間）内の日毎に、各時間帯における予測需要電力量を算出する。また、Ｓ６１において、創出需要予測部１２は、対象期間内の残期間内の日毎に、各時間帯における創出可能需要電力量を算出する。
【００９６】
次に、算出部１３は、対象期間内の残期間内の日毎に、各時間帯における予測需要電力量と創出可能需要電力量との和を算出する（Ｓ６２）。次いで、参照値決定部１４は、対象期間内の残期間内の日毎に、Ｓ６３で算出された和が最小となる時間帯を特定し、特定した時間帯の和を参照値として決定する（Ｓ６３）。
【００９７】
需要予測部１１、創出需要予測部１２、算出部１３及び参照値決定部１４による上記処理は、第１の実施形態で説明した処理と同様の処理で実現することができる。
【００９８】
次に、参照値決定部１４は、対象期間内の経過期間内の日毎に、各時間帯における需要電力量［Ｗｈ］の実績値（実績需要電力量）を取得する（Ｓ６４）。そして、参照値決定部１４は、対象期間内の経過期間内の日毎に、実績需要電力量が最小となる時間帯を特定し、特定した時間帯の実績需要電力量を参照値として決定する（Ｓ６５）。
【００９９】
なお、Ｓ６１乃至Ｓ６３の処理と、Ｓ６４及びＳ６５の処理との処理順は図示するものに限定されない。Ｓ６１乃至Ｓ６３をＳ６４及びＳ６５よりも前に実行してもよいし、Ｓ６４及びＳ６５をＳ６１乃至Ｓ６３よりも前に実行してもよいし、Ｓ６１乃至Ｓ６３とＳ６４及びＳ６５とを並行処理してもよい。
【０１００】
Ｓ６６では、目標値決定部１５は、Ｓ６３で決定した残期間内の日各々の参照値と、Ｓ６５で決定した経過期間内の日各々の参照値とを含む複数の参照値の中で、小さい方からＭ番目（Ｎ≧Ｍ≧２）の参照値を特定し、特定した参照値を目標値として決定する。
【０１０１】
Ｓ６７では、需要創出内容決定部１６は、Ｓ６６で新たに決定した目標値に基づき、残期間において電力需要を創出するタイミングを決定する。需要創出内容決定部１６は、第１の実施形態で説明した処理、及び、第２の実施形態で説明した処理の少なくとも一方を用いて、当該決定を実現することができる。
【０１０２】
なお、需要予測部１１、創出需要予測部１２、算出部１３、参照値決定部１４、目標値決定部１５及び需要創出内容決定部１６のその他の構成は、第１又は第２の実施形態と同様である。
【０１０３】
以上説明した本実施形態の処理装置１０によれば、第１及び第２の実施形態と同様な作用効果が実現される。
【０１０４】
また、本実施形態の処理装置１０によれば、対象期間よりも前の任意のタイミングで決定された目標値を、対象期間内の一部の経過期間における実績に基づき、再設定することができる。このため、対象期間よりも前に算出した予測需要電力量や創出可能需要電力量と経過期間における実績との間に所定レベル以上のかい離が発生してしまった場合であっても、その都度目標値を再設定し、実際の状況にあった内容で電力需要を創出するタイミングを決定することができる。
【０１０５】
＜第４の実施形態＞
図１８に、本実施形態の処理装置１０の機能ブロック図の一例を示す。図示するように、処理装置１０は、需要創出内容決定部１６と、直前需要予測部１７と、直前創出需要予測部１８と、直前算出部１９と、目標値設定部２０とを有する。需要創出内容決定部１６、直前需要予測部１７、直前創出需要予測部１８及び直前算出部１９の構成は、第１及び第２の実施形態と同様である。
【０１０６】
目標値設定部２０は、目標値を設定する。目標値の定義は、第１及び第２の実施形態と同様である。第１及び第２の実施形態では、目標値決定部１５が目標値を決定した。本実施形態では、目標値設定部２０は、第１及び第２の実施形態と異なる手法で目標値を設定する。例えば、目標値設定部２０は、ユーザにより入力された値を目標値として設定してもよい。
【０１０７】
本実施形態の処理装置１０のハードウエア構成の一例は、第１乃至第３の実施形態と同様である。
【０１０８】
本実施形態の処理装置１０は、需要予測部１１、創出需要予測部１２、算出部１３、参照値決定部１４及び目標値決定部１５を有さないが、第２の実施形態同様な作用効果を実現することができる。
【０１０９】
以下、参考形態の例を付記する。
１．  Ｎ日（Ｎ≧２）からなる対象期間内の日毎に、１日を複数の時間帯に分割し、前記時間帯各々における予測需要電力量［Ｗｈ］を算出する需要予測手段と、
前記対象期間内の日毎に、前記時間帯各々における創出可能需要電力量［Ｗｈ］を算出する創出需要予測手段と、
前記対象期間内の日毎に、前記時間帯各々における前記予測需要電力量と前記創出可能需要電力量との和を算出する算出手段と、
前記対象期間内の日毎に、前記和が最小となる前記時間帯である第１の時間帯を特定し、前記第１の時間帯の前記和を参照値として決定する参照値決定手段と、
前記対象期間内の前記参照値が小さい方からＭ番目（Ｎ≧Ｍ≧２）の日の前記参照値を、目標値として決定する目標値決定手段と、
前記目標値に基づき、電力需要を創出するタイミングを決定する需要創出内容決定手段と、
を有する処理装置。
２．  １に記載の処理装置において、
前記需要創出内容決定手段は、前記対象期間内の前記参照値が小さい方から１番目から（Ｍ−１）番目までに含まれる日を、電力需要を創出しない日として決定する処理装置。
３．  １又は２に記載の処理装置において、
前記需要創出内容決定手段は、前記対象期間内の前記参照値が小さい方から１番目から（Ｍ−１）番目までに含まれない日のうち、前記予測需要電力量が前記目標値を下回る前記時間帯が存在しない日を、電力需要を創出しない日として決定する処理装置。
４．  １から３のいずれかに記載の処理装置において、
前記需要創出内容決定手段は、前記対象期間内の前記参照値が小さい方から１番目から（Ｍ−１）番目までに含まれない日のうち、前記予測需要電力量が前記目標値を下回る前記時間帯が存在する日を、電力需要を創出する日として決定する処理装置。
５．  ４に記載の処理装置において、
前記需要創出内容決定手段は、電力需要を創出する日として決定した日における前記予測需要電力量が前記目標値を下回る前記時間帯を、電力需要を創出する時間帯として決定する処理装置。
６．  ５に記載の処理装置において、
前記需要創出内容決定手段は、（前記電力需要を創出する時間帯において創出する電力量［Ｗｈ］と当該時間帯における前記予測需要電力量との和）と、（前記目標値）との差が基準値以下となるように、前記電力需要を創出する時間帯において創出する電力量を決定する処理装置。
７．  １に記載の処理装置において、
前記対象期間内の日毎に算出した前記予測需要電力量及び前記創出可能需要電力量に基づき電力需要を創出するタイミングを決定した基準日よりも後に、Ｐ日（Ｎ＞Ｐ≧１）からなる直前対象期間内の日毎に、前記時間帯各々における前記予測需要電力量を算出する直前需要予測手段をさらに有し、
前記需要創出内容決定手段は、前記直前需要予測手段が算出した前記予測需要電力量に基づき、電力需要を創出するタイミングを決定する処理装置。
８．  ７に記載の処理装置において、
前記需要創出内容決定手段は、前記直前対象期間内の日のうち、前記直前需要予測手段が算出した前記予測需要電力量が前記目標値を下回る前記時間帯が存在しない日を、電力需要を創出しない日として決定する処理装置。
９．  ７又は８に記載の処理装置において、
前記基準日よりも後に、前記直前対象期間内の日毎に、前記時間帯各々における前記創出可能需要電力量を算出する直前創出需要予測手段と、
前記直前対象期間内の日毎に、前記直前需要予測手段が算出した前記時間帯各々における前記予測需要電力量と前記直前創出需要予測手段が算出した前記時間帯各々における前記創出可能需要電力量との和である直前和を算出する直前算出手段と、
をさらに有し、
前記需要創出内容決定手段は、前記直前対象期間内の日の中の、前記直前需要予測手段が算出した前記予測需要電力量が前記目標値を下回る前記時間帯が存在する日のうち、前記直前和が前記目標値を下回る前記時間帯が存在しない日を、電力需要を創出する日として決定する処理装置。
１０．  ９に記載の処理装置において、
前記需要創出内容決定手段は、電力需要を創出する日として決定した日における前記直前需要予測手段が算出した前記予測需要電力量が前記目標値を下回る前記時間帯を、電力需要を創出する時間帯として決定する処理装置。
１１．  １０に記載の処理装置において、
前記需要創出内容決定手段は、（前記電力需要を創出する時間帯において創出する電力量［Ｗｈ］と当該時間帯における前記直前需要予測手段が算出した前記予測需要電力量との和）と、（前記目標値）との差が基準値以下となるように、前記電力需要を創出する時間帯において創出する電力量を決定する処理装置。
１２．  ９から１１のいずれかに記載の処理装置において、
前記需要創出内容決定手段は、前記直前対象期間内の日の中の、前記直前需要予測手段が算出した前記予測需要電力量が前記目標値を下回る前記時間帯が存在する日であって、前記直前和が前記目標値を下回る前記時間帯が存在する日においては、前記対象期間内の前記直前対象期間よりも前の期間における電力需要創出の実績に基づき、電力需要を創出する日とするか否かを決定する処理装置。
１３．  コンピュータが、
Ｎ日（Ｎ≧２）からなる対象期間内の日毎に、１日を複数の時間帯に分割し、前記時間帯各々における予測需要電力量［Ｗｈ］を算出する需要予測工程と、
前記対象期間内の日毎に、前記時間帯各々における創出可能需要電力量［Ｗｈ］を算出する創出需要予測工程と、
前記対象期間内の日毎に、前記時間帯各々における前記予測需要電力量と前記創出可能需要電力量との和を算出する算出工程と、
前記対象期間内の日毎に、前記和が最小となる前記時間帯である第１の時間帯を特定し、前記第１の時間帯の前記和を参照値として決定する参照値決定工程と、
前記対象期間内の前記参照値が小さい方からＭ番目（Ｎ≧Ｍ≧２）の日の前記参照値を、目標値として決定する目標値決定工程と、
前記目標値に基づき、電力需要を創出するタイミングを決定する需要創出内容決定工程と、
を実行する処理方法。
１４．  コンピュータを、
Ｎ日（Ｎ≧２）からなる対象期間内の日毎に、１日を複数の時間帯に分割し、前記時間帯各々における予測需要電力量［Ｗｈ］を算出する需要予測手段、
前記対象期間内の日毎に、前記時間帯各々における創出可能需要電力量［Ｗｈ］を算出する創出需要予測手段、
前記対象期間内の日毎に、前記時間帯各々における前記予測需要電力量と前記創出可能需要電力量との和を算出する算出手段、
前記対象期間内の日毎に、前記和が最小となる前記時間帯である第１の時間帯を特定し、前記第１の時間帯の前記和を参照値として決定する参照値決定手段、
前記対象期間内の前記参照値が小さい方からＭ番目（Ｎ≧Ｍ≧２）の日の前記参照値を、目標値として決定する目標値決定手段、
前記目標値に基づき、電力需要を創出するタイミングを決定する需要創出内容決定手段、
として機能させるプログラム。
１５．  目標値を設定する目標値設定手段と、
Ｐ日（Ｐ≧１）からなる直前対象期間内の日毎に、１日を複数の時間帯に分割し、前記時間帯各々における予測需要電力量［Ｗｈ］を算出する直前需要予測手段と、
前記予測需要電力量と、前記目標値とに基づき、電力需要を創出するタイミングを決定する需要創出内容決定手段と、
を有し、
前記需要創出内容決定手段は、前記直前需要予測手段が算出した前記予測需要電力量に基づき、電力需要を創出するタイミングを決定する処理装置。
１６．  コンピュータが、
目標値を設定する目標値設定工程と、
Ｐ日（Ｐ≧１）からなる直前対象期間内の日毎に、１日を複数の時間帯に分割し、前記時間帯各々における予測需要電力量［Ｗｈ］を算出する直前需要予測工程と、
前記予測需要電力量と、前記目標値とに基づき、電力需要を創出するタイミングを決定する需要創出内容決定工程と、
を実行し、
前記需要創出内容決定工程では、前記直前需要予測工程で算出した前記予測需要電力量に基づき、電力需要を創出するタイミングを決定する処理方法。
１７．  コンピュータを、
目標値を設定する目標値設定手段、
Ｐ日（Ｐ≧１）からなる直前対象期間内の日毎に、１日を複数の時間帯に分割し、前記時間帯各々における予測需要電力量［Ｗｈ］を算出する直前需要予測手段、
前記予測需要電力量と、前記目標値とに基づき、電力需要を創出するタイミングを決定する需要創出内容決定手段、
として機能させ、
前記需要創出内容決定手段は、前記直前需要予測手段が算出した前記予測需要電力量に基づき、電力需要を創出するタイミングを決定するプログラム。
【符号の説明】
【０１１０】
１Ａ    プロセッサ
２Ａ    メモリ
３Ａ    入出力Ｉ／Ｆ
４Ａ    周辺回路
５Ａ    バス
１０    処理装置
１１    需要予測部
１２    創出需要予測部
１３    算出部
１４    参照値決定部
１５    目標値決定部
１６    需要創出内容決定部
１７    直前需要予測部
１８    直前創出需要予測部
１９    直前算出部
２０    目標値設定部
【図１】
2020144431.tif 000003
【図２】
2020144431.tif 000004
【図３】
2020144431.tif 000005
【図４】
2020144431.tif 000006
【図５】
2020144431.tif 000007
【図６】
2020144431.tif 000008
【図７】
2020144431.tif 000009
【図８】
2020144431.tif 000010
【図９】
2020144431.tif 000011
【図１０】
2020144431.tif 000012
【図１１】
2020144431.tif 000013
【図１２】
2020144431.tif 000014
【図１３】
2020144431.tif 000015
【図１４】
2020144431.tif 000016
【図１５】
2020144431.tif 000017
【図１６】
2020144431.tif 000018
【図１７】
2020144431.tif 000019
【図１８】
2020144431.tif 000020